(57)【特許請求の範囲】
【請求項１】
複数ドットとドット濃度またはドットサイズにより濃度階調を表現する画像形成装置において、
注目ドットの周囲のドット濃度またはドットサイズに応じて書き込みレベルを補正する手段と、
入力された画像データに対して、データが「０」でなければ、当該入力された画像データの「０」でないデータを多値レベルの少なくとも最低レベルであるレベル「１」で変換する疑似階調処理を行う手段と、
注目ドットの周囲データを検出する検出手段と、
この検出手段によって検出されたデータに基づいて前記多値レベルの書き込み値を切り換え、注目ドットの周囲に空き画素がある場合には、相対的に高い書き込み値に変換し、注目ドットの周囲のすべてに画素がある場合には、空き画素がある場合の書き込み値に比較して低い書き込み値に変換する切り換え手段と、
を備え、外部機器からのコマンドに基づいて複数ドット及びドット濃度またはドットサイズにより記録媒体上にドットイメージを形成する際、前記外部機器からのコマンドがライン形成に関するものである場合には、前記疑似階調処理を行う手段による処理をライン形成に関する処理に切り換えて疑似階調処理を実行することを特徴とする画像形成装置。
【請求項２】
前記疑似階調処理を行う手段は、ライン用疑似階調処理については分散型の疑似階調処理に切り換え、ライン用疑似階調処理以外は集中型の疑似階調処理に切り換えて前記疑似階調処理を実行することを特徴とする請求項１記載の画像形成装置。
【発明の詳細な説明】
【０００１】
【発明の属する技術分野】
本発明は、複数ドットとドット濃度またはドットサイズにより濃度階調を表現する画像形成装置に関する。
【０００２】
【従来の技術】
多値ディザを用いた従来の画像濃度補正方法として、例えば特開平３−８０７６８号公報に開示されているような技術が公知である。ここでは、多様なプリンタ特性に対応するために、入力多値画像データに対してディザ処理に基づく濃度特性を補正し、次いでこの補正された多値画像データに対して多値ディザ処理を行い、次いでこの補正された多値ディザデータに対してプリンタ出力特性に基づく濃度特性を補正するようにした濃度補正方法が提案されている。
【０００３】
【発明が解決しようとする課題】
しかしながら、上記従来例では、ドットの周囲状況に応じて最適なドット再現性を実現することができず、このためハイライト部やライン部の再現性が悪いというという問題点がある。また、上記従来例では、１つのγ補正テーブルに基づいて多値ディザ処理を施すので、種々の擬似階調処理に対応することはできない。
【０００４】
本発明は、上記従来例の問題点に鑑みてなされたもので、その第１の目的は、複数ドットとドット濃度またはドットサイズにより濃度階調を表現する場合に、ドットの周囲状況に応じて最適なドットを形成してハイライト部の再現性を向上させることができる画像形成装置を提供することにある。
【０００５】
また、第２の目的は、複数ドットでそのドット濃度またはドットサイズにより濃度階調を表現する場合に、ドットの周囲状況に応じて最適なドットを形成してライン部の再現性を向上させることができる画像形成装置を提供することにある。
【０００６】
【課題を解決するための手段】
前記の目的を達成するため、複数ドットとドット濃度またはドットサイズにより濃度階調を表現する画像形成装置において、注目ドットの周囲のドット濃度またはドットサイズに応じて書き込みレベルを補正する手段と、入力された画像データに対して、データが「０」でなければ、当該入力された画像データの「０」でないデータを多値レベルの少なくとも最低レベルであるレベル「１」で変換する疑似階調処理を行う手段と、注目ドットの周囲データを検出する検出手段と、この検出手段によって検出されたデータに基づいて前記多値レベルの書き込み値を切り換え、注目ドットの周囲に空き画素がある場合には、相対的に高い書き込み値に変換し、注目ドットの周囲のすべてに画素がある場合には、空き画素がある場合の書き込み値に比較して低い書き込み値に変換する切り換え手段と、を備え、外部機器からのコマンドに基づいて複数ドット及びドット濃度またはドットサイズにより記録媒体上にドットイメージを形成する際、前記外部機器からのコマンドがライン形成に関するものである場合には、前記疑似階調処理を行う手段による処理をライン形成に関する処理に切り換えて疑似階調処理を実行することを特徴とする。
【０００７】
この場合、注目ドットが前記状況の場合に、複数ドットとドット濃度またはドットサイズによる濃度階調が滑らかになるように注目ドットの書き込み位置を左右にずらすようにするとよい。
【０００８】
本発明の或る実施形態によれば、第１の手段と同様の前提の画像形成装置において、注目ドットの周囲のドット濃度またはドットサイズに応じて書き込みレベルを補正する手段と、入力された画像データに対して疑似階調処理を行う手段とを備え、外部機器からのコマンドに基づいて複数ドット及びドット濃度またはドットサイズにより記録媒体上にドットイメージを形成する際、前記外部機器からのコマンドがライン形成に関するものである場合には、前記疑似階調処理を行う手段による処理をライン形成に関する処理に切り換えて疑似階調処理を実行するように構成した。
なお、後述の実施形態では、前記補正する手段には補正テーブル７０２が、疑似階調処理を行う手段にはプリンタコントローラ３０２がそれぞれ対応する。
【０００９】
この場合、前記疑似階調処理を行う手段は、データが「０」でなければ、多値レベルの少なくとも最低のレベルであるレベル「１」で変換して疑似階調処理を行うようにする。また、注目ドットの周囲データを検出する手段と、この手段によって検出されたデータに基づいて前記多値レベルの書き込み値を切り換える手段とをさらに設け、疑似階調処理を行うようにするとよい。
なお、後述の実施形態においては、多値レベルの書き込み値を切り換える手段は補正テーブル７０２に対応している。
【００１０】
また、前記疑似階調処理を行う手段は、ライン用疑似階調処理については分散型の疑似階調処理に切り換え、ライン用疑似階調処理以外は集中型の疑似階調処理に切り換えて疑似階調処理を実行する。
【００１１】
【発明の実施の形態】
＜第１の実施形態＞
以下、図面を参照して本発明の実施の形態について説明する。図１は本発明に係る画像形成装置の一実施形態を示す構成図、図２は図１の要部を示す構成図、図３は本発明に係る画像形成装置の一実施形態を示すブロック図、図４は図３のビット変換テーブルを示す説明図、図５は図４のビット変換テーブルを詳しく示す説明図、図６は図４、図５のビット変換テーブルの変換特性を示す説明図、図７は図３の補正テーブルを示す説明図、図８はドットの位相を示す説明図である。
【００１２】
図１において、像担持体としての感光体１は可撓性のエンドレスベルト状感光体から形成され、回動ローラ２、３間に張架され、図示時計回り方向に搬送される。感光体１の回りには、その回動方向に沿って除電ランプ２１と、帯電器４と、レーザ書き込みユニット５と、ＣＭＹＫの各現像器６〜９と、中間転写ベルト１０とクリーニングユニット１５などが配置されている。レーザ書き込みユニット５は上面にスリット状の露光用開口部を設けた保持筐体に納めて装置本体に組み込まれる。なお、レーザ光学系５としては、この他に発光部と収束性光伝送体を一体とした光学系も使用される。前記帯電器４、レーザ書き込みユニット５、クリーニングユニット１５は感光体１を架設している複数のローラの内の１本のローラ２に対して設けられている。
【００１３】
各現像器６〜９は、例えばイエロー（Ｙ）、マゼンタ（Ｍ）、シアン（Ｃ）、黒（ＢＫ）の各色毎の現像材をそれぞれ収容するもので、所定の位置で前記ベルト状感光体１と近接あるいは接触する各現像スリーブを備え、感光体ベルト１状の潜像を非接触あるいは接触現像によって顕像化する。中間転写ベルト１０は転写像担持体として機能する。中間転写ベルト１０は回動ローラ１１および１２の間に張架され、回動ローラ１１，１２の駆動により反時計回りに搬送される。
【００１４】
前記感光体１と中間転写ベルト１０は回動ローラ３部で接触しており、感光体１上の第１回目の顕像が中間転写ベルト１０内に設けられたバイアスローラ１３によって当該中間転写ベルト１０上に転写される。同様のプロセスを反復することによって、第２ないし第４の顕像がそれぞれ中間転写ベルト１０上に重ねられ、位置ずれを生じないように転写される。また、中間転写ベルト１０に接離可能に転写ローラ１４が設けられている。クリーニングユニット１５は感光体１のクリーニングを行い、他のクリーニングユニット１６（図２）は中間転写ベルト１０のクリーニングを行う。中間転写ベルト１０用のクリーニングユニット１６のブレード１６Ａは画像形成中には中間転写ベルト１０の表面から離間した位置に保たれ、画像形成後のクリーニング時のみ図２に示すように中間転写ベルト１０の表面に圧接され、中間転写ベルト１０のクリーニングを実行する。１６Ｂはブレード１６Ａのベースで、支軸により回動可能に設けられている。
【００１５】
レーザ書き込みユニット５は感光体１上にドット状の潜像を形成するためのレーザビームを出射するために、不図示のレーザダイオード（ＬＤ）ユニット、ポリゴンモータ５Ａ、ポリゴンミラー５Ｂ、ｆθレンズ５Ｃ、反射ミラー５Ｄなどにより構成されている。そして、このレーザ書き込みユニット５は複数のドット及び８ビットのドット濃度またはドットサイズと、ドットの位相（左右の書き込み位置）により濃度階調を表現する。
【００１６】
このように概略構成された画像形成装置におけるカラー画像形成のプロセスは以下のようにして行われる。
【００１７】
多色画像を形成する場合は、カラー画像データ入力部でオリジナル画像を撮像素子が走査することにより得られたデータに対して画像データ処理部で演算処理して画像データを作成し、一旦画像メモリに格納する。この画像メモリに格納された画像データは記録時に取り出されて記録部であるカラー画像形成装置（プリンタ）に入力される。
【００１８】
すなわち、カラー画像形成装置とは別体に設けられた画像読取装置から出力されるカラーの画像信号が前記レーザ書き込みユニット５に入力されると、レーザ書き込みユニット５において図示しない半導体レーザから出射されたレーザビームは駆動モータ５Ａによって回転駆動されるポリゴンミラー５Ｂによって走査される。走査された光はｆθレンズ５Ｃを経て反射ミラー５Ｄにより光路が曲げられ、予め除電ランプ２１によって除電され、帯電部材４によって一様に帯電された感光体１の周面上に露光され、静電潜像が形成される。なお、露光する画像パターンは所望のフルカラー画像をＹ、Ｍ、Ｃ、ＢＫの各色に色分解したときの単色の画像パターンである。
【００１９】
各色ごとに形成された静電潜像は回転型現像器によりＹ、Ｍ、Ｃ、ＢＫの現像器で現像され、顕像化される。ここでは各色に顕像化された単色の画像が形成される。感光体１上に形成された単色画像は、ベルト上感光体１に接触しながら反時計回りに回転する中間転写ベルト１０上に転写される。中間転写ベルト１０上では、Ｙ、Ｍ、Ｃ、ＢＫの各色の画押が順次重ね合わされる。中間転写ベルト１０上で重ね合わされたＹ、Ｍ、Ｃ、ＢＫの画像は、給紙台１７から給紙ローラ１８で搬送され、レジストローラ１９でタイミングと取って転写部に搬送された転写紙に転写ローラ１４によって転写される。転写終了後、転写紙は定着装置２０によって定着され、フルカラーの画像が転写紙上に形成される。
【００２０】
図２に示すように中間転写ベルト１０の端部には６個のマーク４１Ａ〜４１Ｆがあり、マーク検知センサ４０によって任意のマーク、例えばマーク４１Ａを検出することにより書き込みを開始し、一周して再度マーク４１Ａを検知したときに２色目の書き込みを開始する。このとき、マーク４１Ｂ〜４１Ｆはマークの個数を管理することにより書き込みタイミングとして使用できないように信号にマスクがかけられる。なお、中間ベルト１０に接する部分のやや上流側の感光体ベルト１に対向する位置に、感光体ベルト１上のトナー量を検出するためのトナー濃度検知センサ２２が設けられている。
【００２１】
図３において、ディザ処理された例えば４ビットの画像データはラッチＨ４によりラッチされ、また、１ラインバッファＬ１を介して１ラインバッファＬ２に印加される。このとき、ラッチＨ２にはその上のラインの画像データが１ラインバッファＬ１を介してラッチされるとともに、ラッチＨ０にはさらにその上のラインの画像データが１ラインバッファＬ２を介してラッチされる。ラッチＨ０、Ｈ２、Ｈ４によりラッチされた各画像データは、同期信号に同期してシフトしてそれぞれラッチＳ０、Ｎ３、Ｈ４によりラッチされ、次いで同様に同期信号に同期してシフトしてそれぞれラッチ（Ｎ０、ｘ、Ｎ２）、（Ｓ１、Ｎ１、Ｓ２）、（Ｈ１、Ｈ３、Ｈ５）によりラッチされる。
【００２２】
したがって、この５×３個のラッチには、次のような主走査方向５ドット×副走査方向３ドットの４ビット画像データがラッチされている。なお、以下の説明では、ラッチの参照符号をドットの位置と濃度を表す参照符号としても用いる。
Ｈ０，Ｓ０，Ｎ０，Ｓ１，Ｈ１
Ｈ２，Ｎ３， ｘ， Ｎ１，Ｈ３
Ｈ４，Ｓ３，Ｎ２，Ｓ２，Ｈ５
すなわち、上記の５×３ドットの内、６つのドットＨ０〜Ｈ５は、中心ドットｘが存在するラインとその上下のラインにおいて中心ドットｘから前後に２ドット分離れたドットであり、４つのドットＳ０〜Ｓ３はそれぞれ、中心ドットｘの斜め左上、斜め右上、斜め左下、斜め右下のドットであり、４つのドットＮ０〜Ｎ３はそれぞれ、中心ドットｘの上、右、下、左のドットである。
【００２３】
ドット状況判定部１０１には次のドット位置のデータが印加される。なお、××印で示すドット位置のデータは印加されないことを示す。
Ｈ０，Ｓ０，××，Ｓ１，Ｈ１
Ｈ２，Ｎ３，××，Ｎ１，Ｈ３
Ｈ４，Ｓ３，××，Ｓ２，Ｈ５
そして、ドット状況判定部１０１はこの１２ドットＨ０〜Ｈ５、Ｓ０〜Ｓ３、Ｎ１、Ｎ３の４ビットデータ（＝０〜１５）が全て「０」の場合に判定データ＝０を、それ以外の場合に判定データ＝１をラッチ１０２を介して演算部Ｂに印加する。また、演算部Ａには次のドット位置のデータが印加される。
××，Ｓ０，Ｎ０，Ｓ１，××
××，Ｎ３， ｘ， Ｎ１，××
××，Ｓ３，Ｎ２，Ｓ２，××
そして、演算部Ａはまず、このドットＳ０〜Ｓ３、Ｎ０〜Ｎ３、ｘの４ビットデータ（＝０〜１５）を、図４、図５に示すようなビット変換テーブル１０３に基づいて８ビットデータ（＝０〜２５５）に変換する。なお、この変換特性は一例であって、図６に示すようにプリンタの特性に応じて予め、入力に対して出力がリニアになるように設定されている。
【００２４】
この８ビットデータをｓ０〜ｓ３、ｎ０〜ｎ３、ｘとすると、次いで、この８ビットデータｓ０〜ｓ３、ｎ０〜ｎ３、ｘと、８ビットデータｓ０〜ｓ３に対するゲインＧｓと、８ビットデータｎ０〜ｎ３に対するゲインＧｎを用いて８ビットの補正係数Ｇを算出し、これを補正テーブル１０４に出力する。
【００２５】
Ｇ＝ＧｎΣ（ｎｔ−ｘ）＋ＧｓΣ（ｓｔ−ｘ）
但し、ｎ，ｔ＝０，１，２，３
また、演算部Ｂには中心ドットｘの４ビットデータとドット状況判定部１０１の判定データが印加される。そして、演算部Ｂは判定データ＝０の場合、すなわち１２ドットＨ０〜Ｈ５、Ｓ０〜Ｓ３、Ｎ１、Ｎ３の４ビットデータ（＝０〜１５）が全て「０」の場合に、一定値の４ビットデータを補正テーブル１０４に出力するとともにモード「０」（右モード）の位相信号を図１に示すレーザ書き込みユニット５に出力し、他方、判定データ＝１の場合に中心ドットｘの４ビットデータをそのまま補正テーブル１０４に出力するとともにモード「１」（左モード）の位相信号をレーザ書き込みユニット５に出力する。
【００２６】
補正テーブル１０４には予め、図７に示すように補正係数Ｇに応じて階調が滑らかになるように、中心ドットｘの４ビットデータを８ビットデータに変換するための２５６通りの演算結果（変換テーブル）が記憶され、演算部Ａからの補正係数Ｇにより１つの変換テーブルが選択される。そして、中心ドットｘの４ビットデータがこの変換テーブルにより８ビットデータに変換される。補正テーブル１０４にはまた、変換テーブルの１つとして、ドットＨ０〜Ｈ５、Ｓ０〜Ｓ３、Ｎ１、Ｎ３の４ビットデータ（＝０〜１５）が全て「０」の場合に、複数ドットとドット濃度またはドットサイズによる濃度階調が滑らかになるような特性のテーブルが記憶されている。
【００２７】
次に図８を参照してプリンタの書き込み位相について説明する。通常では、ドットはモード「１」（左モード）の位相で書き込まれ、この場合にはドット幅が中心から右側に成長する。一方、モード「０」（右モード）の位相の場合にはドット幅が中心から左側に成長する。このため、左右のドットがつながるので、自然なドット強調を行うことができる。
【００２８】
＜第２の実施形態＞
図９は本発明の第２の実施形態に係る画像形成装置のシステム構成を示すブロック図、図１０は図９におけるプリンタコントローラの概略構成を示すブロック図、図１１は図１０におけるプリンタコントローラの処理手順を示すフローチャート、図１２は細線用の疑似階調処理のためのディザの閾値とイメージ用のディザの閾値をそれぞれ示すディザテーブル、図１３は図９のプリンタエンジンの要部の概略構成を示すブロック、図１４は補正テーブルに記憶されている内容を示す説明図である。
【００２９】
図９はこの実施形態に係る画像形成装置のシステム構成を示すブロック図である。同図において、パーソナルコンピュータ（ＰＣ）３０１などの外部機器から画像形成装置のプリンタコントローラ３０２にラインコマンド、テキストコマンドなどのコマンド形式でプリンタに画像情報が送られてくる。このコマンドを受け、プリンタコントローラ３０２では、コマンドにしたがってビットマップ形式に変換し、プリンタエンジン３０３にライン毎の画像データを送る。プリンタエンジン３０３では、送られてきた画像データにしたがってレーザダイオード（ＬＤ）を点滅または変調させることによって実際の画像を作像する。
【００３０】
図１０は図９におけるプリンタコントローラ３０２の概略構成を示すブロック図である。プリンタコントローラ３０２は、この実施形態ではパーソナルコンピュータ３０１からプリンタコントローラ３０２に送られてくる画像コマンドを受け取るＰＣＩ／Ｆ部４０１、前記コマンドからビットマップデータに展開した画像データを記憶するフレームＲＡＭ４０２、ディザ閾値などを記憶するＲＯＭ４０３、全体のデータ処理を含むプリンタ各部の制御を司るＣＰＵ４０４、最終的に処理が終了したデータをプリンタエンジン３０３に転送するエンジンＩ／Ｆ４０５からなる。
【００３１】
このような各部から構成されたプリンタコントローラ３０２では、図１１のフローチャートに示すようにパーソナルコンピュータ３０１からプリンタコントローラ３０２に送られてくる画像コマンドを解析し（ステップ５０１）、入力されたコマンドにしたがって画像データをラスタライズする（ステップ５０２）。そして、入力されたコマンドがラインコマンドであれば、ライン用ディザ処理を実行して（ステップ５０３，５０４）、プリンタエンジン３０３にデータを転送する（ステップ５０６）。これに対し、入力されたコマンドがラインコマンドでなければ、イメージ用ディザ処理を行って（ステップ５０５）プリンタエンジン３０３にデータを転送する（ステップ５０６）。
【００３２】
図１２はディザの閾値を示す図で、同図（ａ）は細線用のディザの閾値を、同図（ｂ）はイメージ用のディザの閾値をそれぞれ示す。したがって、この実施形態では、ステップ５０４では図１２（ａ）のディザ閾値を使用し、ステップ５０５では図１２（ｂ）のディザ閾値を使用することになる。
【００３３】
この実施形態では、元の画像の階調数を４９階調としている。１ドットの多値数は２ビットである。そのため階調の閾値レベルは第１レベルから第３レベルまで設定される。すなわち、階調０ではすべてのドットが「０」である。細線用ディザ処理では、階調「１」、「２」ではすべてのドットで第１レベルになる。階調「３」〜「２５」では対応するドットのみ第２レベルになる。階調「２６」〜「４８」では、対応するドットのみ第３レベルになる。
【００３４】
イメージ用ディザ処理では、図１２（ｂ）に示すように、左上から左に２、下に２の位置のドットから階調「１」で第１レベルになる。そして、階調「２」で第２レベルになり、階調「３」で第３レベルになる。同様に左上から左に４、下に４のドットは階調「４」で第１レベルに、階調「５」で第２レベルに、階調「６」で第３レベルになる。同様に各ドットについて階調「４８」までで全部が第３レベルになる。
【００３５】
図１３はプリンタエンジン３０３の要部の概略構成を示すブロック図である。プリンタエンジン３０３は第１および第２の１ラインバッファＬ１，Ｌ２とＨ０ないしＨ７の８個のラッチと、注目画素に対応する１個ラッチｘと、ラッチＨ０ないしＨ７の出力データが入力されるカウント部７０１と、注目画素のデータを記憶するラッチｘと前記カウント部７０１からの出力が入力され、前記ラッチｘからの注目画素のデータを補正してＬＤ書き込み信号をとして出力する補正テーブル７０２を含んで構成されている。
【００３６】
プリンタコントローラ３０２からの２ビットのデータは図示しない同期信号によってラッチＨ５、第１の１ラインバッファＬ１に入る。次の同期信号によってラッチＨ５のデータはラッチＨ６に、第１の１ラインバッファＬ１のデータはラッチＨ３と第２の１ラインバッファＬ２に入る。同様にしてＨ０、Ｈ３、Ｈ５のデータはＨ１、ｘ、Ｈ６へ、Ｈ１、ｘ、Ｈ６のデータはＨ２、Ｈ４、Ｈ７に入る。カウント部７０１には、注目画素ｘ以外の画素Ｈ０〜Ｈ７の値が入力され、「０」より値の数、すなわちドットが存在するときのドット数をカウントする。補正テーブル部７０２には、カウント部７０１のカウント数と注目画素ｘのデータ入力され、当該補正テーブル部７０２で、あらかじめ格納されている例えば図１４に示すようなテーブルに基づいて注目画素ｘのデータを前記カウンタ部７０１の出力にしたがって変換し、ＬＤへの書き込みデータを出力する。
【００３７】
図１４に示すようにＬＤ書き込みは２５５レベルで変調される。このテーブルの場合、注目画素ｘに隣り合う８画素のカウント部７０１のカウンタデータが「０」ないし「７」の場合、すなわち、注目画素の周囲に空き画素がある場合には、注目画素の入力データが第１レベルは「８５」に、第２レベルは「１７０」に第３レベルは「２５５」にそれぞれ変換される。これに対し、前記８画素のカウント部７０１のカウンタデータが８の場合、すなわち、注目画素の回りにすべて画素がある場合、第１レベルは「３０」に、第２レベルは「８０」に、第３レベルは「２５５」にそれぞれ変換される。
【００３８】
【発明の効果】
以上説明したように、本発明の或る実施形態によれば、注目ドットが少なくとも主走査方向に単独ドットであり、かつ主走査方向の前後の２ドット分の空きがある場合に、複数ドットとドット濃度またはドットサイズによる濃度階調が滑らかになるように注目ドットの書き込みレベルを制御するようにしたので、ドットの周囲状況に応じて最適なドットを形成してハイライト部の再現性を向上させることができる。
【００３９】
また、本発明の或る実施形態によれば、注目ドットが少なくとも主走査方向に単独ドットであり、かつ主走査方向の前後の２ドット分の空きがある状況の場合に、複数ドットによる濃度階調が滑らかになるようにさらに注目ドットの書き込み位置を左右にずらすようにしたので、ドットの周囲状況に応じて最適なドットを形成してハイライト部の再現性を向上させることができる。
【００４０】
請求項１記載の発明によれば、外部機器からのコマンドがライン形成に関するものである場合には、疑似階調処理を行う手段がラインの再現性を向上させる処理に切り換わるので、最適なライン再現を実現することができる。
【００４１】
請求項１記載の発明によれば、疑似階調処理を行う手段は、データが「０」でなければ、多値レベルの少なくとも最低のレベルであるレベル「１」で変換するので、最適なライン再現を実現することができる。
【００４２】
請求項１記載の発明によれば、注目ドットの周囲データを検出し、検出されたデータに基づいて多値レベルの書き込み値を切り換えるので、ドットの周囲状況に応じて最適なドットを形成し、最適なライン再現性を実現することができる。
【００４３】
請求項２記載の発明によれば、疑似階調処理を行う手段は、ライン用疑似階調処理については分散型の疑似階調処理に、ライン用疑似階調処理以外は、集中型の疑似階調処理に切り換えられるので、ラインについて最適な再現性を実現することができる。
【図面の簡単な説明】
【図１】図１は本発明に係る画像形成装置の一実施形態を示す構成図である。
【図２】図１の要部を示す構成図である。
【図３】本発明に係る画像形成装置の一実施形態を示すブロック図である。
【図４】図３のビット変換テーブルを示す説明図である。
【図５】図４のビット変換テーブルを詳しく示す説明図である。
【図６】図４、図５のビット変換テーブルの変換特性を示す説明図である。
【図７】図３の補正テーブルを示す説明図である。
【図８】ドットの位相を示す説明図である。
【図９】本発明の第２の実施形態に係る画像形成装置のシステム構成を示すブロック図である。
【図１０】図９におけるプリンタコントローラの概略構成を示すブロック図である。
【図１１】図１０におけるプリンタコントローラの処理手順を示すフローチャートである。
【図１２】細線用の疑似階調処理のためのディザの閾値とイメージ用のディザの閾値をそれぞれ示ディザテーブルである。
【図１３】図９のプリンタエンジンの要部の概略構成を示すブロック図である。
【図１４】補正テーブルに記憶されている内容を示す説明図である。
【符号の説明】
１０１  ドット状況判定部
１０３  ビット変換テーブル
１０４  補正テーブル
Ａ，Ｂ  演算部
５  レーザ書き込みユニット
３０１  パーソナルコンピュータ（ＰＣ）
３０２  コントローラ
３０３  プリンタエンジン
４０１  ＰＣＩ／Ｆ部
４０２  フレームＲＡＭ
４０３  ＲＯＭ
４０４  ＣＰＵ
４０５  エンジンＩ／Ｆ
７０１  カウント部
７０２  補正テーブル
【図１】
0003939882.tif 000002
【図２】
0003939882.tif 000003
【図３】
0003939882.tif 000004
【図４】
0003939882.tif 000005
【図５】
0003939882.tif 000006
【図６】
0003939882.tif 000007
【図７】
0003939882.tif 000008
【図８】
0003939882.tif 000009
【図９】
0003939882.tif 000010
【図１０】
0003939882.tif 000011
【図１１】
0003939882.tif 000012
【図１２】
0003939882.tif 000013
【図１３】
0003939882.tif 000014
【図１４】
0003939882.tif 000015